(57)【要約】  【課題】   サーミスタの抵抗値が定格値を示す前の温風温度の検知を正確に行えるようにした、温水洗浄便座装置の温風乾燥装置の提供。  【解決手段】  乾燥スイッチの閉成により、ヒータへの通電がなされ、この通電に伴い前記ヒータにより暖められた空気が、送風ファンにより温風として便座に着座する使用者の臀部に乾燥のためにブローされるようにし、サーミスタにより検知された前記温風の温度に応じて前記ヒータへの通電を調整する制御装置とを備えた温水洗浄便座装置の温風乾燥装置において、前記サーミスタを常時通電しておくようにした、温水洗浄便座装置の温風乾燥装置。【選択図】  図１
2006249811.tif 000002
【特許請求の範囲】
【請求項１】
乾燥スイッチの閉成により、ヒータへの通電がなされ、この通電に伴い前記ヒータにより暖められた空気が、送風ファンにより温風として便座に着座する使用者の臀部に乾燥のためにブローされるようにし、サーミスタにより検知された前記温風の温度に応じて前記ヒータへの通電を調整する制御装置とを備えた温水洗浄便座装置の温風乾燥装置において、前記サーミスタを常時通電しておくようにした、温水洗浄便座装置の温風乾燥装置。
【請求項２】
乾燥スイッチの閉成により、ヒータへの通電がなされ、この通電に伴い前記ヒータにより暖められた空気が、送風ファンにより温風として便座に着座する使用者の臀部に乾燥のためにブローされるようにし、サーミスタにより検知された前記温風の温度に応じて前記ヒータへの通電を調整する制御装置とを備えた温水洗浄便座装置の温風乾燥装置において、前記サーミスタの抵抗値を、事前評価に依拠して、補正した、温水洗浄便座装置の温風乾燥装置。
【発明の詳細な説明】
【技術分野】
【０００１】
本発明は、温水洗浄便座装置の温風乾燥装置に関する。
【背景技術】
【０００２】
温水洗浄便座装置に関しては、近年、基本機能たる洗浄機能に加えて、温風乾燥機能、脱臭機能その他の機能の追加が、快適性向上の観点から要請されている。かような要請に応えるため、特許文献１は、温水洗浄機能と温風乾燥機能とを具備する温水洗浄装置を開示する。しかして、この温水洗浄便座装置においては、通電加熱されたヒータにより暖められて、送風機により人体局部にブローされる温風の温度は、サーミスタで検知されるようになっている。
【特許文献１】特開平１１−２５８０８６号公報
【発明の開示】
【発明が解決しようとする課題】
【０００３】
特許文献１において開示された温水洗浄便座装置は、人体局部乾燥装置を備え、洗浄後、人体局部乾燥装置の始動スイッチがオンされると、ヒータにより温められた空気が温風として、人体局部にブローされるようになっている。人体局部乾燥装置は、制御回路を備え、この制御回路は、サーミスタで温風温度を検知して、この検知した温度と設定温度との差異に依拠して、ヒータへの通電を行い、ブローされる温風の温度を設定値に維持する。温風温度の検知手段としてコスト的に有利なサーミスタを採用した自体は、卓見であるが、実用上、問題なしとしない。すなわち、通電後、サーミスタが、その定格値を呈するまで、時間を要し、その間、検知される温風温度の値が実態を示さないという不具合がある。また、サーミスタの定格抵抗値にバラツキがあり、これも、検知される温風温度の値が実態を示さないという不具合を惹起させている。
【０００４】
それ故に、本発明は、サーミスタの抵抗値が定格値を示す前の温風温度の検知を正確に行えるようにした、温水洗浄便座装置を提供することを、その技術的課題とする。
【課題を解決するための手段】
【０００５】
上記の課題を解決するために講じた技術的手段は、請求項１に記載のように、
「乾燥スイッチの閉成により、ヒータへの通電がなされ、この通電に伴い前記ヒータにより暖められた空気が、送風ファンにより温風として便座に着座する使用者の臀部に乾燥のためにブローされるようにし、サーミスタにより検知された前記温風の温度に応じて前記ヒータへの通電を調整する制御装置とを備えた温水洗浄便座装置の温風乾燥装置において、前記サーミスタを常時通電しておくようにした、温水洗浄便座装置の温風乾燥装置。」
を構成したことである。
【０００６】
上記の課題を解決するために講じた技術的手段は、請求項２に記載のように、
「乾燥スイッチの閉成により、ヒータへの通電がなされ、この通電に伴い前記ヒータにより暖められた空気が、送風ファンにより温風として便座に着座する使用者の臀部に乾燥のためにブローされるようにし、サーミスタにより検知された前記温風の温度に応じて前記ヒータへの通電を調整する制御装置とを備えた温水洗浄便座装置の温風乾燥装置において、前記サーミスタの抵抗値を、事前評価に依拠して、補正した、温水洗浄便座装置の温風乾燥装置。」
を構成したことである。
【発明の効果】
【０００７】
請求項１で定義される本発明に係る温水洗浄便座装置の温風乾燥装置によれば、サーミスタは常時通電により、乾燥スイッチの閉成時には定格抵抗値に達しているので、温風乾燥装置の始動から精確に温風温度の検知を行うことが出来る。
【０００８】
請求項２で定義される本発明に係る温水洗浄便座装置の温風乾燥装置によれば、サーミスタの抵抗値が、事前評価により補正されるので、このサーミスタにより検知される温風温度は、より精確なものとなる。
【発明を実施するための最良の形態】
【０００９】
以下、本発明の実施形態の例について、図面に基づいて説明する。
【００１０】
図１において、温水洗浄便座装置１０は、制御装置２０の統制下にある温風乾燥装置３０を備える。温風乾燥装置３０は、直列に接続された乾燥スイッチ３２及びトライアック３４を介して、ヒータ３６が、電源４０に接続される。図示されない洗浄機構による局部洗浄の終了後、乾燥スイッチ３２がオンされると、ヒータ３６への通電がなされ、通電過熱されたヒータ３６により暖められた空気（温風）が、ダクト（図示略）を介して便座（図示略）に着座する使用者の臀部に向けてファン４２によりブローされる。
【００１１】
ファン４２により送風される温風の温度は、ダクトその他適所に設置されたサーミスタ５０により検知される。一端が、常時、電源４０に接続されたサーミスタ５０の他端は、抵抗５２を介して接地される。サーミスタ５０と抵抗５２との接続点５３の電圧は、サーミスタ５０により検知された温風温度として、制御装置２０に送られる。
【００１２】
電源４０の電圧をＶｉｎ、サーミスタ５０の抵抗値をＲｔｈ、抵抗５２の値をＲｉとすれば、サーミスタ５０と抵抗５２との接続点５３の電圧Ｖｏｕｔは、Ｖｏｕｔ＝Ｖｉｎ・Ｒｉ／（Ｒｔｈ  +  Ｒｉ）となる。しかして、サーミスタ５０が検知した温風温度が上昇するにつれて、接続点５３の電圧Ｖｏｕｔは、図２に示されるように上昇する。この変化は、制御装置２０により常時監視せられ、電圧Ｖｏｕｔが、設定温風温度よりも高くなったことを示す場合、トライアック３４を開いてヒータ３６への通電を停止し、温風温度を下げるようになっている。
【００１３】
しかして、サーミスタ５０には、常時、通電状態になっているので、乾燥スイッチ３２がオンされたとき、つまり温風乾燥装置３０の始動時、サーミスタ５０の抵抗値Ｒｔｈは、定格抵抗値を示すので、温風乾燥装置の始動から精確に温風温度の検知を行うことが出来る。
【００１４】
尚、サーミスタ５０の実際の抵抗値を、事前評価に依拠し、その値を、定格抵抗値と比較し、その差異を補正値として、制御装置に記憶させておけば、温風温度の検知をより精確に行うことが出来る。この点、図３に依拠して説明する。サーミスタを所定温度の下においたときの抵抗値は、図３に示すように変化する。ここにおいて、Ｒ：サーミスタの定格抵抗値、Ｒ１：所定温度の下におかれてｔ１経過後のサーミスタの実際の抵抗値、ｔ２：所定温度の下におかれた後、定格抵抗値に達する時間である。グラフの変化率は既知であるので、ｔ１経過後の抵抗値Ｒ１（定格抵抗値Ｒのｘ％）を１つの数式で確実に知ることが出来、定格抵抗値を補正できる。
【図面の簡単な説明】
【００１５】
【図１】本発明の一実施形態例に係る温水洗浄便座装置のブロック図である。
【図２】サーミスタが検知した温度と電圧との関係を示すグラフである。
【図３】サーミスタを所定温度の下においたときの抵抗値の変化を示すグラフ。
【符号の説明】
【００１６】
１０：温水洗浄便座装置
２０：制御装置
３２：ヒータ
４０：電源
４２：ファン
５０：サーミスタ
【図１】
2006249811.tif 000003
【図２】
2006249811.tif 000004
【図３】
2006249811.tif 000005